(57)【要約】【課題】従来よりも、印刷文書を上手く共用して再利用し、資源（紙）の有効活用を促進する文書管理システムを提供すること。【解決手段】本発明の文書管理システムでは、電子文書がファイリング条件を満たしている場合、電子文書が印刷文書として印刷され、その印刷文書に識別コードが印字されたときに、識別コードをデータベースに保存する。これにより、印刷文書を管理することができる。また、書庫に設けられたコードリーダからの読取コードと識別コードとが一致する場合、ファイリング文書が書庫に収納されたことを認識し、ファイリング済み情報をデータベースに保存する。これにより、書庫に収納されるファイリング文書を管理することができる。【選択図】図１１
2009080627.tif 000002
【特許請求の範囲】
【請求項１】
電子文書と前記電子文書の属性を表す属性情報とを保存するための保存命令を送信する第１クライアント装置と、
前記電子文書を印刷するための印刷命令を送信する第２クライアント装置と、
書庫に設けられ、固有のコードを読み取って送信するコードリーダと、
前記第１、第２クライアント装置及び前記コードリーダにネットワークを介して接続され、文書管理部とデータベースとを備える文書管理装置と、
を具備し、
前記文書管理部は、
前記保存命令に応じて、前記電子文書と前記属性情報とを前記データベースに保存し、
前記印刷命令に応じて、前記電子文書がファイリング文書として前記書庫に収納されていることを表すファイリング済み情報が、前記電子文書に対応付けて前記データベースに保存されているか否かを調べ、
前記電子文書に対応付けて前記ファイリング済み情報が前記データベースに保存されていない場合、
前記属性情報に基づいて、前記電子文書が、前記ファイリング文書として前記書庫に収納されるためのファイリング条件を満たしているか否かを調べ、
前記電子文書が前記ファイリング条件を満たしている場合、利用者に印刷文書を前記ファイリング文書としてファイリングして前記書庫に収納させるためのファイリング指示を前記第２クライアント装置に送信し、
前記電子文書を前記印刷文書として印刷して、前記固有のコードを識別コードとして前記印刷文書に印字するように印刷装置を制御し、
前記識別コードを前記電子文書と前記属性情報とに対応付けて前記データベースに保存し、
前記利用者が前記ファイリング文書を前記書庫に収納したときに、前記コードリーダが前記ファイリング文書の前記固有のコードを読み取って読取コードとして送信した場合、前記読取コードと前記電子文書に対応する前記識別コードとが一致するか否かを調べ、
前記読取コードと前記識別コードとが一致する場合、前記ファイリング済み情報を前記電子文書と前記属性情報と前記識別コードとに対応付けて前記データベースに保存する
文書管理システム。
【請求項２】
前記文書管理部は、
前記ファイリング済み情報が前記電子文書に対応付けて前記データベースに保存されている場合、前記電子文書が前記ファイリング文書として前記書庫に収納されている旨を表す収納通知情報を前記第２クライアント装置に送信する
請求項１に記載の文書管理システム。
【請求項３】
前記属性情報は、前記電子文書を複数の利用者に回覧するための回覧情報を含み、
前記文書管理部は、
前記電子文書に対応付けて前記ファイリング済み情報が前記データベースに保存されていない場合、
前記ファイリング条件として、前記属性情報に前記回覧情報が含まれているか否かを調べ、
前記属性情報に前記回覧情報が含まれている場合、前記ファイリング指示を前記第２クライアント装置に送信し、前記印刷文書を印刷して前記識別コードを印字するように前記印刷装置を制御し、前記識別コードを前記電子文書と前記属性情報とに対応付けて前記データベースに保存する
請求項１又は２に記載の文書管理システム。
【請求項４】
前記電子文書は、複数の文を表す本文を含み、
前記本文は、前記印刷装置が規定する用紙のサイズに応じて、複数の頁に割り当てられ、
前記属性情報は、前記複数の頁を表す頁数を含み、
前記文書管理部は、
前記電子文書に対応付けて前記ファイリング済み情報が前記データベースに保存されていない場合、
前記ファイリング条件として、前記頁数が設定頁数以上であるか否かを調べ、
前記頁数が前記設定頁数以上である場合、前記ファイリング指示を前記第２クライアント装置に送信し、前記印刷文書を印刷して前記識別コードを印字するように前記印刷装置を制御し、前記識別コードを前記電子文書と前記属性情報とに対応付けて前記データベースに保存する
請求項１又は２に記載の文書管理システム。
【請求項５】
前記属性情報は、前記電子文書が属するグループを表すグループ情報を含み、
前記データベースには、Ｎ個（Ｎは整数）の電子文書とＮ個の属性情報と前記ファイリング済み情報とが保存され、
前記Ｎ個の属性情報は、それぞれ、Ｎ個のグループ情報を含み、
前記文書管理部は、
前記電子文書に対応付けて前記ファイリング済み情報が前記データベースに保存されていない場合、
前記データベースを参照して、前記Ｎ個のグループ情報の中から、前記グループ情報が表すグループに一致するＭ１個（Ｍ１はＭ１≦Ｎを満たす整数）のグループ情報を検索し、
前記データベースを参照して、前記Ｍ１個のグループ情報の中から、前記データベースに前記ファイリング済み情報が対応付けて保存されているＭ２個（Ｍ２はＭ２≦Ｍ１を満たす整数）のグループ情報を検索し、
Ｍ２をＮで除算したＦ＝Ｍ２／Ｎにより、前記電子文書と同じグループに属するＭ２個の電子文書がそれぞれＭ２個のファイリング文書としてファイリングされている度合いを表すファイリング度Ｆを算出し、
前記ファイリング条件として、前記ファイリング度Ｆが設定ファイリング度以上であるか否かを調べ、
前記ファイリング度Ｆが前記設定ファイリング度以上である場合、前記ファイリング指示を前記第２クライアント装置に送信し、前記印刷文書を印刷して前記識別コードを印字するように前記印刷装置を制御し、前記識別コードを前記電子文書と前記属性情報とに対応付けて前記データベースに保存する
請求項１又は２に記載の文書管理システム。
【請求項６】
前記属性情報は、前記電子文書の題名を表す文字列を含み、
前記データベースには、Ｎ個（Ｎは整数）の電子文書とＮ個の属性情報と前記ファイリング済み情報とが保存され、
前記Ｎ個の属性情報は、それぞれ、前記Ｎ個の電子文書の題名を表すＮ個の文字列を含み、
前記文書管理部は、
前記電子文書に対応付けて前記ファイリング済み情報が前記データベースに保存されていない場合、
前記データベースを参照して、前記Ｎ個の文字列の中から、前記ファイリング済み情報が対応付けられ、且つ、前記文字列に最も類似する類似文字列を検索し、
前記データベースを参照して、前記類似文字列が表す題名を構成するｍ個（ｍは整数）の文字の中から、前記文字列が表す題名を構成するｎ個（ｎは整数）の文字に一致するｍ１個（ｍ１はｍ１≦ｍを満たす整数）の文字を検索し、
ｍ１をｎで除算したＬ＝ｍ１／ｎにより、前記電子文書の題名と前記電子文書に類似する類似電子文書の題名とが類似している度合いを表す題名類似度Ｌを算出し、
前記ファイリング条件として、前記題名類似度Ｌが設定題名類似度以上であるか否かを調べ、
前記題名類似度Ｌが前記設定題名類似度以上である場合、前記ファイリング指示を前記第２クライアント装置に送信し、前記印刷文書を印刷して前記識別コードを印字するように前記印刷装置を制御し、前記識別コードを前記電子文書と前記属性情報とに対応付けて前記データベースに保存する
請求項１又は２に記載の文書管理システム。
【請求項７】
更に、
前記書庫から前記ファイリング文書を取り出されたときに、取出信号を送信するセンサ、
を具備し、
前記文書管理部は、
前記利用者が前記書庫から前記ファイリング文書を取り出したときに、前記コードリーダが前記ファイリング文書の前記固有のコードを読み取って前記読取コードとして送信し、前記センサが前記取出信号を送信した場合、前記読取コードと前記電子文書に対応する前記識別コードとが一致するか否かを調べ、
前記読取コードと前記識別コードとが一致する場合、前記取出信号に応じて、前記ファイリング文書が利用されていることを表す利用中情報を前記電子文書と前記属性情報と前記識別コードと前記ファイリング済み情報とに対応付けて前記データベースに保存する
請求項１〜６のいずれかに記載の文書管理システム。
【請求項８】
前記文書管理部は、
前記読取コードと前記識別コードとが一致する場合、前記利用中情報と、前記ファイリング文書が利用された利用回数を表す利用回数情報とを前記電子文書と前記属性情報と前記識別コードと前記ファイリング済み情報とに対応付けて前記データベースに保存し、
前記利用中情報を前記データベースに保存するときに、前記利用回数情報が表す利用回数に対して１をインクリメントする
請求項７に記載の文書管理システム。
【請求項９】
前記第１、第２クライアント装置の利用者は、それぞれ、前記第１、第２クライアント装置を用いて、前記データベースを参照可能である
請求項１〜８のいずれかに記載の文書管理システム。
【請求項１０】
電子文書と前記電子文書の属性を表す属性情報とを保存するための保存命令を送信する第１クライアント装置と、前記電子文書を印刷するための印刷命令を送信する第２クライアント装置と、書庫に設けられ、固有のコードを読み取って送信するコードリーダと、にネットワークを介して接続された文書管理装置であって、
文書管理部と、
データベースと、
を具備し、
前記文書管理部は、
前記保存命令に応じて、前記電子文書と前記属性情報とを前記データベースに保存し、
前記印刷命令に応じて、前記電子文書がファイリング文書として前記書庫に収納されていることを表すファイリング済み情報が、前記電子文書に対応付けて前記データベースに保存されているか否かを調べ、
前記電子文書に対応付けて前記ファイリング済み情報が前記データベースに保存されていない場合、
前記属性情報に基づいて、前記電子文書が、前記ファイリング文書として前記書庫に収納されるためのファイリング条件を満たしているか否かを調べ、
前記電子文書が前記ファイリング条件を満たしている場合、利用者に印刷文書を前記ファイリング文書としてファイリングして前記書庫に収納させるためのファイリング指示を前記第２クライアント装置に送信し、
前記電子文書を前記印刷文書として印刷して、前記固有のコードを識別コードとして前記印刷文書に印字するように印刷装置を制御し、
前記識別コードを前記電子文書と前記属性情報とに対応付けて前記データベースに保存し、
前記利用者が前記ファイリング文書を前記書庫に収納したときに、前記コードリーダが前記ファイリング文書の前記固有のコードを読み取って読取コードとして送信した場合、前記読取コードと前記電子文書に対応する前記識別コードとが一致するか否かを調べ、
前記読取コードと前記識別コードとが一致する場合、前記ファイリング済み情報を前記電子文書と前記属性情報と前記識別コードとに対応付けて前記データベースに保存する
文書管理装置。
【請求項１１】
電子文書と前記電子文書の属性を表す属性情報とを保存するための保存命令を送信する第１クライアント装置と、前記電子文書を印刷するための印刷命令を送信する第２クライアント装置と、書庫に設けられ、固有のコードを読み取って送信するコードリーダと、にネットワークを介して接続されたコンピュータを用いる文書管理方法であって、
前記保存命令に応じて、前記電子文書と前記属性情報とをデータベースに保存するステップと、
前記印刷命令に応じて、前記電子文書がファイリング文書として前記書庫に収納されていることを表すファイリング済み情報が、前記電子文書に対応付けて前記データベースに保存されているか否かを調べるステップと、
前記電子文書に対応付けて前記ファイリング済み情報が前記データベースに保存されていない場合、
前記属性情報に基づいて、前記電子文書が、前記ファイリング文書として前記書庫に収納されるためのファイリング条件を満たしているか否かを調べるステップと、
前記電子文書が前記ファイリング条件を満たしている場合、利用者に印刷文書を前記ファイリング文書としてファイリングして前記書庫に収納させるためのファイリング指示を前記第２クライアント装置に送信するステップと、
前記電子文書を前記印刷文書として印刷して、前記固有のコードを識別コードとして前記印刷文書に印字するように印刷装置を制御するステップと、
前記識別コードを前記電子文書と前記属性情報とに対応付けて前記データベースに保存するステップと、
前記利用者が前記ファイリング文書を前記書庫に収納したときに、前記コードリーダが前記ファイリング文書の前記固有のコードを読み取って読取コードとして送信した場合、前記読取コードと前記電子文書に対応する前記識別コードとが一致するか否かを調べるステップと、
前記読取コードと前記識別コードとが一致する場合、前記ファイリング済み情報を前記電子文書と前記属性情報と前記識別コードとに対応付けて前記データベースに保存するステップと、
を具備する文書管理方法。
【請求項１２】
請求項１１に記載の文書管理方法の各ステップを前記コンピュータに実行させるコンピュータプログラム。
【発明の詳細な説明】
【技術分野】
【０００１】
本発明は、電子文書を管理する文書管理システムに関する。
【背景技術】
【０００２】
企業では、コンピュータであるクライアント装置により、電子文書を作成し、その電子文書を印刷文書として印刷する。このような印刷文書は、資料として使用される度に倍増してしまう。そこで、電子文書が既に印刷済みであることを通知するシステム（特許文献１）や、電子文書と印刷文書とを対応付けて管理するシステム（特許文献２）が知られている。このように、印刷文書を企業内などで上手く共用して再利用し、紙をはじめとする資源の有効活用を促進するシステムが求められている。
【０００３】
また、印刷文書（資料）にバーコードなどの識別データを付加し、これをファイリング文書として書庫（ファイルボックス）に収納するシステム（特許文献３、４）が知られている。また、ファイリング文書の利用状況を利用者に通知するシステム（特許文献５）や、登録されている利用者による電子文書だけを印刷文書として印刷するシステム（特許文献６）が知られている。
【０００４】
しかし、全ての電子文書をファイリング文書として書庫に収納することは、書庫の数が増えたり、書庫を設置する保管場所が広がったりしてしまう。例えば、ある電子文書を印刷文書により個人で保管しておきたい場合、その印刷文書をファイリング文書として書庫に収納する必要はない。一方、マニュアルや議事録などの電子文書については、印刷文書として一度印刷しておき、ファイリング文書として書庫に収納すべきである。このように、従来よりも、印刷文書を上手く共用して再利用し、資源（紙）の有効活用を促進するシステムが望まれる。
【０００５】
【特許文献１】特開２００３−１８６６３９号公報
【特許文献２】特開２００４−２２７４６２号公報
【特許文献３】特開平９−２３７３５９号公報
【特許文献４】特開平１０−１４３４１４号公報
【特許文献５】特開２００５−２４２５５７号公報
【特許文献６】特開平１０−２０７６６１号公報
【発明の開示】
【発明が解決しようとする課題】
【０００６】
本発明の課題は、従来よりも、印刷文書を上手く共用して再利用し、資源（紙）の有効活用を促進する文書管理システムを提供することにある。
【課題を解決するための手段】
【０００７】
本発明の文書管理システムは、第１クライアント装置と、第２クライアント装置と、コードリーダと、文書管理装置と、を具備している。
前記第１クライアント装置は、電子文書と前記電子文書の属性を表す属性情報とを保存するための保存命令を送信する。
前記第２クライアント装置は、前記電子文書を印刷するための印刷命令を送信する。
前記コードリーダは、書庫に設けられ、固有のコードを読み取って送信する。
前記文書管理装置は、前記第１、第２クライアント装置及び前記コードリーダにネットワークを介して接続され、文書管理部とデータベースとを備えている。
前記文書管理部は、前記保存命令に応じて、前記電子文書と前記属性情報とを前記データベースに保存する。
前記文書管理部は、前記印刷命令に応じて、前記電子文書がファイリング文書として前記書庫に収納されていることを表すファイリング済み情報が、前記電子文書に対応付けて前記データベースに保存されているか否かを調べる。
前記電子文書に対応付けて前記ファイリング済み情報が前記データベースに保存されていない場合、前記文書管理部は、前記属性情報に基づいて、前記電子文書が、前記ファイリング文書として前記書庫に収納されるためのファイリング条件を満たしているか否かを調べる。
前記電子文書が前記ファイリング条件を満たしている場合、前記文書管理部は、利用者に印刷文書を前記ファイリング文書としてファイリングして前記書庫に収納させるためのファイリング指示を前記第２クライアント装置に送信する。前記文書管理部は、前記電子文書を前記印刷文書として印刷して、前記固有のコードを識別コードとして前記印刷文書に印字するように印刷装置を制御する。前記文書管理部は、前記識別コードを前記電子文書と前記属性情報とに対応付けて前記データベースに保存する。
前記利用者が前記ファイリング文書を前記書庫に収納したときに、前記コードリーダが前記ファイリング文書の前記固有のコードを読み取って読取コードとして送信した場合、前記文書管理部は、前記読取コードと前記電子文書に対応する前記識別コードとが一致するか否かを調べる。
前記読取コードと前記識別コードとが一致する場合、前記文書管理部は、前記ファイリング済み情報を前記電子文書と前記属性情報と前記識別コードとに対応付けて前記データベースに保存する。
【発明の効果】
【０００８】
以上により、本発明の文書管理システムでは、前記電子文書が前記ファイリング条件を満たしている場合、前記電子文書が前記印刷文書として印刷され、その前記印刷文書に前記識別コードが印字されたときに、前記識別コードを前記データベースに保存する。これにより、前記印刷文書を管理することができる。また、上述のように、前記書庫に設けられた前記コードリーダからの前記読取コードと前記識別コードとが一致する場合、前記ファイリング文書が前記書庫に収納されたことを認識し、前記ファイリング済み情報を前記データベースに保存する。これにより、前記書庫に収納される前記ファイリング文書を管理することができる。
【発明を実施するための最良の形態】
【０００９】
以下に添付図面を参照して、本発明の文書管理システムについて詳細に説明する。
【００１０】
［構成］
図１は、本発明の文書管理システムの構成を示している。本発明の文書管理システムは、例えば企業で使用され、複数のクライアント装置１−１、１−２、１−３、…と、文書管理装置２と、印刷装置であるプリンタ３と、書庫４と、ＱＲコードリーダ５と、ネットワーク６と、センサ７と、を具備している。複数のクライアント装置１−１、１−２、１−３、…と文書管理装置２とプリンタ３とＱＲコードリーダ５とセンサ７は、ネットワーク６に接続されている。ネットワーク６としては、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）が例示される。ＱＲコードリーダ５は、書庫４に設けられ、固有のコードを読み取って文書管理装置２に送信する。書庫４は、センサ７上に設けられ、センサ７としては、重量センサが例示される。センサ７は、現状の書庫４の重さに対して減少した場合、取出信号を文書管理装置２に送信する。
【００１１】
文書管理装置２は、コンピュータであり、ＣＰＵ（Ｃｅｎｔｒａｌ  Ｐｒｏｃｅｓｓｉｎｇ  Ｕｎｉｔ）２１と、記憶装置２２と、を具備している。記憶装置２２は、ＣＰＵ２１が実行するためのコンピュータプログラム２３と、文書データベース２５と、認証データベース２６と、を格納している。コンピュータプログラム２３は、後述する文書管理部２４を含んでいる。文書データベース２５には、後述の電子文書１０−ｊ（ｊ＝１、２、…、）が保存される。その電子文書１０−ｊは、プリンタ３により印刷文書１０−ｊ’として印刷され、印刷文書１０−ｊ’には固有のコードとして識別ＱＲコードが印字される。その印刷文書１０−ｊ’は、ファイリング文書１０−ｊ’’としてファイリングされ、書庫４に収納される。
【００１２】
複数のクライアント装置１−１、１−２、１−３、…は、コンピュータであり、図示しないＣＰＵ、記憶装置を具備している。その記憶装置は、ＣＰＵが実行するためのコンピュータプログラムを格納している。複数のクライアント装置１−１、１−２、１−３、…の利用者Ａ、Ｂ、Ｃ、…は、それぞれ、複数のクライアント装置１−１、１−２、１−３、…を用いて、電子文書１０−ｊを作成、保存、更新、閲覧する上で、文書データベース２５を参照可能である。
【００１３】
図２は、認証データベース２６を示している。認証データベース２６は、それぞれ、複数のクライアント装置１−１、１−２、…の利用者（ユーザ）Ａ、Ｂ、…である複数のユーザ名と、複数のユーザＩＤ“ＡＡＡ”、“ＢＢＢ”、…と、複数のパスワード“１１１１１１１１”、“２２２２２２２２”、…と、を保存している。ユーザＩＤとパスワードは、文書管理装置２が複数のクライアント装置１−１、１−２、１−３、…に対してログインを許可するか否かを判断するための認証用として使用される。
【００１４】
図３は、文書データベース２５を示している。文書データベース２５は、Ｎ個（Ｎは整数）の電子文書と属性情報と識別ＱＲコード１５とファイリング済み情報１６と利用中情報１７と利用回数情報１８とを保存している。ここで、Ｎを１０とし、Ｎ個の電子文書を電子文書１０−１〜１０−１０と称する。
【００１５】
属性情報は、電子文書１０−１〜１０−１０の題名をそれぞれ表す文字列１１“○○〜”、“○○〜”、“○○〜”、“○○〜”、“○△〜”、“△△〜”、“□□〜”、“□□〜”、“□○〜”、“□△〜”を含んでいる。
【００１６】
電子文書１０−１〜１０−１０の各々は、複数の文を表す本文を含み、その本文は、プリンタ３が規定する用紙のサイズに応じて、複数の頁に割り当てられている。属性情報は、更に、複数の頁を表す頁数１２“１０”、“１２”、“２０”、“４”、“６”、“７０”、“５”、“３”、“２０”、“１”を含んでいる。
【００１７】
属性情報は、更に、電子文書を複数の利用者Ａ、Ｂ、…に回覧するための回覧情報１３を含んでいる。例えば、回覧情報１３は、電子文書１０−２〜１０−４に対応付けて文書データベース２５に保存されている。
【００１８】
属性情報は、更に、電子文書１０−１〜１０−１０が属するグループをそれぞれ表すグループ情報１４“１”、“１”、“１”、“２”、“２”、“３”、“４”、“４”、“５”、“５”を含んでいる。
【００１９】
識別ＱＲコード１５は、電子文書１０−１〜１０−１０のうちの、印刷文書として印刷された電子文書に対応付けて、文書データベース２５に保存される。例えば、識別ＱＲコード１５“０００１”、“０００２”、“０００３”、“０００４”、“０００５”、“０００６”は、電子文書１０−１〜１０−４、１０−６、１０−９に対応付けて文書データベース２５に保存されている。この場合、電子文書１０−１〜１０−４、１０−６、１０−９は、印刷文書１０−１’〜１０−４’、１０−６’、１０−９’として印刷され、識別ＱＲコード１５“０００１”、“０００２”、“０００３”、“０００４”、“０００５”、“０００６”が印刷文書１０−１’〜１０−４’、１０−６’、１０−９’に印字されている。
【００２０】
ファイリング済み情報１６は、電子文書１０−１〜１０−１０のうちの、ファイリング文書としてファイリングされた電子文書に対応付けて、文書データベース２５に保存される。例えば、ファイリング済み情報１６は、電子文書１０−１〜１０−４、１０−６、１０−９に対応付けて文書データベース２５に保存されている。この場合、ファイリング済み情報１６は、印刷文書１０−１’〜１０−４’、１０−６’、１０−９’がファイリング文書１０−１’’〜１０−４’’、１０−６’’、１０−９’’として書庫４に収納されていることを表している。
【００２１】
利用中情報１７は、電子文書１０−１〜１０−１０のうちの、ファイリング文書として書庫４から取り出された電子文書に対応付けて、文書データベース２５に保存される。例えば、利用中情報１７は、電子文書１０−３、１０−６に対応付けて文書データベース２５に保存されている。この場合、利用中情報１７は、ファイリング文書１０−２’’、１０−６’’が書庫４から取り出されていることを表している。
【００２２】
利用回数情報１８は、電子文書１０−１〜１０−１０のうちの、ファイリング文書として書庫４から取り出された電子文書に対応付けて、文書データベース２５に保存される。例えば、利用回数情報１８“１０”、“４”、“１”、“１”、“３”、“１”は、電子文書１０−１〜１０−４、１０−６、１０−９に対応付けて文書データベース２５に保存されている。この場合、利用回数情報１８“１０”、“４”、“１”、“１”、“３”、“１”は、ファイリング文書１０−１’’〜１０−４’’、１０−６’’、１０−９’’が書庫４から取り出された回数を表している。
【００２３】
［動作］
次に、本発明の文書管理システムの動作について説明する。
【００２４】
図４は、本発明の文書管理システムの動作としてログイン処理を示すフローチャートである。
【００２５】
例えば、クライアント装置１−１は、その利用者Ａの操作に応じて、ユーザＩＤ“ＡＡＡ”、パスワード“１１１１１１１１”を文書管理装置２に送信する（ステップＳ１）。文書管理装置２の文書管理部２４は、クライアント装置１−１からのユーザＩＤ“ＡＡＡ”、パスワード“１１１１１１１１”と、認証データベース２６に保存されているユーザＩＤ“ＡＡＡ”、パスワード“１１１１１１１１”とが一致するか否かを認証する（ステップＳ２）。一致した場合（ステップＳ３−ＹＥＳ）、文書管理部２４は、クライアント装置１−１に対してログインを許可する（ステップＳ４）。一致しない場合（ステップＳ３−ＮＯ）、ログインを拒否する（ステップＳ５）。
【００２６】
図５は、本発明の文書管理システムの動作として保存処理を示すフローチャートである。図６は、保存処理が実行されたときに、文書データベース２５に保存される内容を示している。
【００２７】
クライアント装置１−１は、ログイン中であるときに、その利用者Ａの操作に応じて、電子データを作成する。この電子データを電子データ１０−１１と称する。クライアント装置１−１は、その利用者Ａの操作に応じて、電子データ１０−１１と、電子文書１０−１１の属性を表す属性情報とを保存するための保存命令を文書管理装置２に送信する（ステップＳ１１）。その属性情報は、電子文書１０−１１の題名を表す文字列１１“○○〜”と、電子文書１０−１１の複数の頁を表す頁数１２“１１”と、電子文書１０−１１を複数の利用者Ａ、Ｂ、…に回覧するための回覧情報１３と、電子文書１０−１１が属するグループを表すグループ情報１４“１”とを含んでいる。文書管理装置２の文書管理部２４は、クライアント装置１−１からの保存命令に応じて、電子データ１０−１１と、属性情報（文字列１１“○○〜”、頁数１２“１１”、回覧情報１３、グループ情報１４“１”）とを文書データベース２５に保存する（ステップＳ１２）。
【００２８】
例えば、クライアント装置１−２は上述のステップＳ１〜Ｓ４を実行する。この場合、クライアント装置１−２は、その利用者Ｂの操作に応じて、ユーザＩＤ“ＢＢＢ”、パスワード“２２２２２２２２”を文書管理装置２に送信する（ステップＳ１）。文書管理装置２の文書管理部２４は、クライアント装置１−２からのユーザＩＤ“ＢＢＢ”、パスワード“２２２２２２２２”と、認証データベース２６に保存されているユーザＩＤ“ＢＢＢ”、パスワード“２２２２２２２２”とが一致するか否かを認証する（ステップＳ２）。一致した場合（ステップＳ３−ＹＥＳ）、文書管理部２４は、クライアント装置１−２に対してログインを許可する（ステップＳ４）。
【００２９】
図７は、本発明の文書管理システムの動作として管理処理を示すフローチャートである。図８は、図７の管理処理におけるファイリング判定処理を示すフローチャートである。図９は、管理処理が実行されたときに、文書データベース２５に保存される内容を示している。
【００３０】
クライアント装置１−２は、ログイン中であるときに、その利用者Ｂの操作に応じて、電子文書１０−１１を印刷するための印刷命令を文書管理装置２に送信する（ステップＳ２１）。文書管理装置２の文書管理部２４は、クライアント装置１−２からの印刷命令に応じて、ファイリング済み情報１６が電子文書１０−１１に対応付けて文書データベース２５に保存されているか否かを調べる（ステップＳ２２）。
【００３１】
ここで、電子文書１０−１１に対応付けてファイリング済み情報１６が文書データベース２５に保存されている（ステップＳ２２−ＮＯ）。この場合、文書管理部２４は、電子文書１０−１１がファイリング文書１０−１１’’として書庫４に収納されている旨を表す収納通知情報をクライアント装置１−２に送信する。
【００３２】
一方、電子文書１０−１１に対応付けてファイリング済み情報１６が文書データベース２５に保存されていない（ステップＳ２２−ＹＥＳ）。この場合、文書管理部２４は、電子文書１０−１１に対応する属性情報に基づいて、電子文書１０−１１が、ファイリング文書１０−１１’’として書庫４に収納されるためのファイリング条件を満たしているか否かを調べるファイリング判定処理を実行する（ステップＳ２３）。
【００３３】
ファイリング判定処理（ステップＳ２３）において、文書管理部２４は、ファイリング条件として、電子文書１０−１１に対応する属性情報に回覧情報１３が含まれているか否かを調べる（ステップＳ３１）。ここで、属性情報に回覧情報１３が含まれている場合（ステップＳ３１−ＹＥＳ）、電子文書１０−１１がファイリング条件を満たしている（ステップＳ３６、Ｓ２４−ＹＥＳ）。この場合、文書管理部２４は、利用者に印刷文書１０−１１’をファイリング文書１０−１１’’としてファイリングして書庫４に収納させるためのファイリング指示をクライアント装置１−２に送信する（ステップＳ２５）。文書管理部２４は、電子文書１０−１１を上記の印刷文書１０−１１’として印刷して、固有のコードを識別ＱＲコード１５“０００７”として印刷文書１０−１１’に印字するようにプリンタ３を制御する（ステップＳ２６）。例えば、識別ＱＲコード１５“０００７”は、印刷文書１０−１１’の先頭の頁である表紙に印字される。文書管理部２４は、識別ＱＲコード１５“０００７”を電子文書１０−１１と属性情報１１〜１４とに対応付けて文書データベース２５に保存する（ステップＳ２７）。
【００３４】
上述のように、本発明の文書管理システムでは、電子文書１０−１１に対応する属性情報に回覧情報１３が含まれている場合、その電子文書１０−１１が印刷文書１０−１１’として印刷され、その印刷文書１０−１１’に識別ＱＲコード１５“０００７”が印字される。このように、電子文書１０−１１に対応する属性情報に回覧情報１３が含まれている場合、電子文書１０−１１が何回も無駄に印刷されずに優先的にファイリングされる。
【００３５】
ファイリング判定処理（ステップＳ２３）において、属性情報に回覧情報１３が含まれていない（ステップＳ３１−ＮＯ）。この場合、文書管理部２４は、ファイリング条件として、電子文書１０−１１に対応する属性情報の頁数１２“１１”が設定頁数以上であるか否かを調べる（ステップＳ３２）。例えば、設定頁数を“１０”とする。ここで、頁数１２“１１”が設定頁数“１０”以上である場合（ステップＳ３２−ＹＥＳ）、電子文書１０−１１がファイリング条件を満たしている（ステップＳ３６、Ｓ２４−ＹＥＳ）。この場合、文書管理部２４は、上述のステップＳ２５〜Ｓ２７を実行する。
【００３６】
上述のように、本発明の文書管理システムでは、電子文書１０−１１に対応する属性情報に回覧情報１３が含まれていないが、属性情報の頁数１２“１１”が設定頁数“１０”以上である場合、その電子文書１０−１１が印刷文書１０−１１’として印刷され、その印刷文書１０−１１’に識別ＱＲコード１５“０００７”が印字される。このように、電子文書１０−１１が何枚も無駄に印刷されずに優先的にファイリングされる。
【００３７】
ファイリング判定処理（ステップＳ２３）において、電子文書１０−１１に対応する属性情報の頁数１２が設定頁数“１０”より少ない（ステップＳ３２−ＮＯ）。この場合、文書管理部２４は、文書データベース２５を参照して、Ｎ個（Ｎは１０）の電子文書１０−１〜１０−１０に対応する属性情報のグループ情報１４“１”、“１”、“１”、“２”、“２”、“３”、“４”、“４”、“５”、“５”の中から、電子文書１０−１１に対応する属性情報のグループ情報１４“１”が表すグループに一致するＭ１個（Ｍ１はＭ１≦Ｎを満たす整数）のグループ情報１４を検索する。この場合、Ｍ１は“３”であり、文書管理部２４は、電子文書１０−１〜１０−３に対応する属性情報のグループ情報１４“１”を検索している。例えば、電子文書１０−１〜１０−３がそれぞれ“利用と運用の手引き１”、“利用と運用の手引き２”、“利用と運用の手引き３”という内容であり、それらが〈マニュアル〉を表しているものとする。また、電子文書１０−１１が“リリースメモ”という内容であり、それが〈マニュアル〉を表しているものとする。即ち、電子文書１０−１〜１０−３、１０−１１に対応する属性情報のグループ情報１４“１”が表すグループは、〈マニュアル〉を表している。
【００３８】
次に、文書管理部２４は、文書データベース２５を参照して、電子文書１０−１〜１０−３に対応する属性情報のグループ情報１４の中から、文書データベース２５にファイリング済み情報１６が対応付けて保存されているＭ２個（Ｍ２はＭ２≦Ｍ１を満たす整数）のグループ情報１４を検索する。この場合、Ｍ２は“３”であり、文書管理部２４は、電子文書１０−１〜１０−３とファイリング済み情報１６とに対応する属性情報のグループ情報１４“１”を検索している。
【００３９】
次に、文書管理部２４は、Ｍ２をＮで除算したＦ＝Ｍ２／Ｎにより、ファイリング度Ｆを算出する。ここで、Ｍ２は“３”であり、Ｎは“３”であるため、ファイリング度Ｆは、“０．３”である。このファイリング度Ｆ“０．３”は、電子文書１０−１１と同じグループに属するＭ２個の電子文書１０−１〜１０−３がそれぞれＭ２個のファイリング文書１０−１’’〜１０−３’’としてファイリングされている度合いを表している。
【００４０】
次に、文書管理部２４は、ファイリング条件として、ファイリング度Ｆ“０．３”が設定ファイリング度以上であるか否かを調べる（ステップＳ３３）。例えば、設定ファイリング度を“０．２”とする。ここで、ファイリング度Ｆ“０．３”が設定ファイリング度“０．２”以上である場合（ステップＳ３３−ＹＥＳ）、電子文書１０−１１がファイリング条件を満たしている（ステップＳ３６、Ｓ２４−ＹＥＳ）。この場合、文書管理部２４は、上述のステップＳ２５〜Ｓ２７を実行する。
【００４１】
上述のように、本発明の文書管理システムでは、電子文書１０−１１に対応する属性情報に回覧情報１３が含まれず、属性情報の頁数１２“１１”が設定頁数“１０”より少ないが、その電子文書１０−１１と同じグループに属する電子文書１０−１〜１０−３がファイリングされている度合いを表すファイリング度Ｆ“０．３”が設定ファイリング度“０．２”以上である場合、その電子文書１０−１１が印刷文書１０−１１’として印刷され、その印刷文書１０−１１’に識別ＱＲコード１５“０００７”が印字される。このように、電子文書１０−１１と同一グループの電子文書１０−１〜１０−３がファイリングされた実績により、電子文書１０−１１が無駄に印刷されずにファイリングされる。
【００４２】
ファイリング判定処理（ステップＳ２３）において、上述のファイリング度Ｆが設定ファイリング度“０．２”より小さい（ステップＳ３３−ＮＯ）。この場合、文書管理部２４は、文書データベース２５を参照して、Ｎ個（Ｎは１０）の電子文書１０−１〜１０−１０に対応する属性情報の文字列１１“○○〜”、“○○〜”、“○○〜”、“○○〜”、“○△〜”、“△△〜”、“□□〜”、“□□〜”、“□○〜”、“□△〜”の中から、ファイリング済み情報１６が対応付けられ、且つ、電子文書１０−１１に対応する属性情報の文字列１１“○○〜”に最も類似する類似文字列１１を検索する。例えば、電子文書１０−１１に対応する属性情報の文字列１１は、“○○製品リソースメモＶｅｒ１．２”であり、電子文書１０−４に対応する属性情報の文字列１１は、“○○製品リソースメモＶｅｒ１．１”であり、“○○製品リソースメモＶｅｒ１．２”に最も類似しているものとする。この場合、文書管理部２４は、電子文書１０−１１に対応する属性情報の文字列１１“○○製品リソースメモＶｅｒ１．２”を対象文字列とし、電子文書１０−４に対応する属性情報の文字列１１“○○製品リソースメモＶｅｒ１．１”を類似文字列として検索している。
【００４３】
次に、文書管理部２４は、文書データベース２５を参照して、類似文字列１１“○○製品リソースメモＶｅｒ１．１”が表す題名を構成するｍ個（ｍは整数）の文字の中から、対象文字列１１“○○製品リソースメモＶｅｒ１．２”が表す題名を構成するｎ個（ｎは整数）の文字に一致するｍ１個（ｍ１はｍ１≦ｍを満たす整数）の文字を検索する。ここで、類似文字列１１“○○製品リソースメモＶｅｒ１．１”、対象文字列１１“○○製品リソースメモＶｅｒ１．２”が表す文字数は“１６”であるため、ｍ、ｎは“１６”である。この場合、“○○製品リソースメモＶｅｒ１．”まで一致しているため、ｍ１は“１５”である。
【００４４】
次に、文書管理部２４は、ｍ１をｎで除算したＬ＝ｍ１／ｎにより、題名類似度Ｌを算出する。ここで、ｍ１は“１５”であり、ｎは“１６”であるため、題名類似度Ｌは、“０．９４”である。この題名類似度Ｌ“０．９４”は、電子文書１０−１１の題名と電子文書１０−１１に類似する類似電子文書の題名とが類似している度合いを表している。
【００４５】
次に、文書管理部２４は、ファイリング条件として、題名類似度Ｌ“０．９４”が設定題名類似度以上であるか否かを調べる（ステップＳ３４）。例えば、設定題名類似度を“０．８０”とする。ここで、題名類似度Ｌ“０．９４”が設定題名類似度“０．８０”以上である場合（ステップＳ３４−ＹＥＳ）、電子文書１０−１１がファイリング条件を満たしている（ステップＳ３６、Ｓ２４−ＹＥＳ）。この場合、文書管理部２４は、上述のステップＳ２５〜Ｓ２７を実行する。
【００４６】
上述のように、本発明の文書管理システムでは、電子文書１０−１１に対応する属性情報に回覧情報１３が含まれず、属性情報の頁数１２が設定頁数“１０”より少なく、ファイリング度Ｆが設定ファイリング度“０．２”よりも小さいが、その電子文書１０−１１の題名に類似する電子文書１０−４がファイリングされ、その電子文書１０−４の題名と電子文書１０−１１の題名との類似度である題名類似度Ｌ“０．９４”が設定題名類似度“０．８”以上である場合、その電子文書１０−１１が印刷文書１０−１１’として印刷され、その印刷文書１０−１１’に識別ＱＲコード１５“０００７”が印字される。このように、電子文書１０−１１の題名に類似する電子文書１０−４がファイリングされた実績により、電子文書１０−１１が無駄に印刷されずにファイリングされる。
【００４７】
題名類似度Ｌ“０．９４”が設定題名類似度“０．８０”より小さい（ステップＳ３４−ＮＯ）。この場合、電子文書１０−１１が全てのファイリング条件を満たしていない（ステップＳ３５、Ｓ２４−ＮＯ）。この場合、文書管理部２４は、電子文書１０−１１を上記の印刷文書１０−１１’として印刷するようにプリンタ３を制御する（ステップＳ２８）。
【００４８】
図１０は、本発明の文書管理システムの動作として収納処理を示すフローチャートである。図１１は、収納処理が実行されたときに、文書データベース２５に保存される内容を示している。
【００４９】
上述のステップＳ２５〜Ｓ２７が実行された場合、利用者Ｂは、ファイリング文書１０−１１’’を書庫４に収納する。このときに、ＱＲコードリーダ５は、ファイリング文書１０−１１’’の固有のコードを読み取って読取ＱＲコードとして文書管理装置２に送信する（ステップＳ４１）。この場合、文書管理装置２の文書管理部２４は、読取ＱＲコードと電子文書１０−１１に対応する識別ＱＲコード１５“０００７”とが一致するか否かを調べる（ステップＳ４２）。ここで、読取ＱＲコードと識別ＱＲコード１５“０００７”とが一致する場合（ステップＳ４２−ＹＥＳ）、文書管理部２４は、ファイリング済み情報１６を電子文書１０−１１と属性情報１１〜１４と識別ＱＲコード１５“０００７”とに対応付けて文書データベース２５に保存する（ステップＳ４３）。このファイリング済み情報１６は、電子文書１０−１１がファイリング文書１０−１１’’として書庫４に収納されていることを表している。
【００５０】
上述のように、本発明の文書管理システムでは、電子文書１０−１１がファイリング条件を満たしている場合、電子文書１０−１１が印刷文書１０−１１’として印刷され、その印刷文書１０−１１’に識別ＱＲコード１５“０００７”が印字されたときに、識別ＱＲコード１５“０００７”を文書データベース２５に保存することで、印刷文書１０−１１’を管理している。しかし、その時点では、印刷文書１０−１１’がファイリング文書１０−１１’’として書庫４に収納されていない。そこで、書庫４に設けられたコードリーダ５からの読取ＱＲコードと識別ＱＲコード１５“０００７”とが一致する場合、ファイリング済み情報１６を文書データベース２５に保存することにより、書庫４に収納されるファイリング文書１０−１１’’を管理することができる。
【００５１】
図１２は、本発明の文書管理システムの動作として利用処理を示すフローチャートである。図１３は、利用処理が実行されたときに、文書データベース２５に保存される内容を示している。
【００５２】
例えば、利用者は、ファイリング文書１０−１１’’を閲覧するために、書庫４からファイリング文書１０−１１’’を取り出す。このときに、ＱＲコードリーダ５は、ファイリング文書１０−１１’’の固有のコードを読み取って読取ＱＲコードとして文書管理装置２に送信する（ステップＳ４１）。この場合、文書管理装置２の文書管理部２４は、読取ＱＲコードと電子文書１０−１１に対応する識別ＱＲコード１５“０００７”とが一致するか否かを調べる（ステップＳ５２）。
【００５３】
また、書庫４からファイリング文書１０−１１’’を取り出されたときに、現状の書庫４の重さに対して減少する。この場合、センサ７は、取出信号を文書管理装置２に送信する（ステップＳ５１）。ここで、読取ＱＲコードと識別ＱＲコード１５“０００７”とが一致する場合（ステップＳ５２−ＹＥＳ）、文書管理部２４は、取出信号に応じて、利用中情報１７と利用回数情報１８とを電子文書１０−１１と属性情報１１〜１４と識別ＱＲコード１５“０００７”とファイリング済み情報１６とに対応付けて文書データベース２５に保存する（ステップＳ５３）。この利用中情報１７は、ファイリング文書１０−１１’’が利用されていることを表し、利用回数情報１８は、ファイリング文書１０−１１’’が利用された利用回数を表している。文書管理部２４は、利用中情報１７を文書データベース２５に保存するときに、利用回数情報１８が表す利用回数に対して１をインクリメントする。ファイリング文書１０−１１’’が初めて利用される場合、電子文書１０−１１に対応する利用回数情報１８が表す利用回数は“１”となる。
【００５４】
上述のように、本発明の文書管理システムでは、ファイリング済み情報１６を文書データベース２５に保存することにより、ファイリング文書１０−１１’’を管理している。しかし、ファイリング文書１０−１１’’が利用されるときは、ファイリング文書１０−１１’’が書庫４から取り出されるため、書庫４にファイリング文書１０−１１’’が存在しなくなる。そこで、書庫４に設けられたコードリーダ５からの読取ＱＲコードと識別ＱＲコード１５“０００７”とが一致する場合、センサ７からの取出信号に応じて、利用中情報１７と利用回数情報１８とを文書データベース２５に保存することにより、書庫４から取り出されるファイリング文書１０−１１’’を管理することができる。
【００５５】
また、本発明の文書管理システムでは、複数のクライアント装置１−１、１−２、１−３、…の利用者Ａ、Ｂ、Ｃ、…は、それぞれ、複数のクライアント装置１−１、１−２、１−３、…を用いて、文書データベース２５を参照可能である。そこで、利用者Ａ、Ｂ、Ｃ、…は、それぞれ、複数のクライアント装置１−１、１−２、１−３、…を用いて、文書データベース２５に格納された利用中情報１７を参照することにより、どのファイリング文書が利用中であるかを把握することができる。また、文書データベース２５に格納された利用回数情報１８を参照することにより、利用頻度が設定よりも多いファイリング文書に関しては更に１部増やしたり、利用が全くないファイリング文書に関しては廃棄したりするなどの処置をとることができる。
【００５６】
［効果］
以上の説明により、本発明の文書管理システムでは、電子文書１０−１１がファイリング条件を満たしている場合、電子文書１０−１１が印刷文書１０−１１’として印刷され、その印刷文書１０−１１’に識別ＱＲコード１５“０００７”が印字されたときに、識別ＱＲコード１５“０００７”を文書データベース２５に保存する。これにより、印刷文書１０−１１’を管理することができる。また、上述のように、書庫４に設けられたコードリーダ５からの読取ＱＲコードと識別ＱＲコード１５“０００７”とが一致する場合、ファイリング文書１０−１１’’が書庫４に収納されたことを認識し、ファイリング済み情報１６を文書データベース２５に保存する。これにより、書庫４に収納されるファイリング文書１０−１１’’を管理することができる。
【００５７】
ここで、ファイリング条件としては、上述のように、
（１）電子文書１０−１１に対応する属性情報に回覧情報１３が含まれている場合、
（２）属性情報の頁数１２“１１”が設定頁数“１０”以上である場合、
（３）電子文書１０−１１と同じグループに属する電子文書１０−１〜１０−３がファイリングされている場合（ファイリング度Ｆ“０．３”が設定ファイリング度“０．２”以上）、
（４）電子文書１０−１１の題名に類似する電子文書１０−４がファイリングされている場合（題名類似度Ｌ“０．９４”が設定題名類似度“０．８”以上）
が挙げられる。
【００５８】
また、本発明の文書管理システムでは、上述のように、書庫４に設けられたコードリーダ５からの読取ＱＲコードと識別ＱＲコード１５“０００７”とが一致する場合、センサ７からの取出信号に応じて、ファイリング文書１０−１１’’が書庫４から取り出されたことを認識し、利用中情報１７を文書データベース２５に保存する。これにより、書庫４から取り出されるファイリング文書１０−１１’’を管理することができる。
【００５９】
また、本発明の文書管理システムでは、上述のように、複数のクライアント装置１−１、１−２、１−３、…の利用者Ａ、Ｂ、Ｃ、…は、それぞれ、複数のクライアント装置１−１、１−２、１−３、…を用いて、文書データベース２５に格納された利用中情報１７を参照することにより、どのファイリング文書が利用中であるかを把握することができる。また、文書データベース２５に格納された利用回数情報１８を参照することにより、利用頻度が設定よりも多いファイリング文書に関しては更に１部増やしたり、利用が全くないファイリング文書に関しては廃棄したりするなどの処置をとることができる。
【図面の簡単な説明】
【００６０】
【図１】図１は、本発明の文書管理システムの構成を示している。
【図２】図２は、認証データベース２６を示している。
【図３】図３は、文書データベース２５を示している。
【図４】図４は、本発明の文書管理システムの動作としてログイン処理を示すフローチャートである。
【図５】図５は、本発明の文書管理システムの動作として保存処理を示すフローチャートである。
【図６】図６は、保存処理が実行されたときに、文書データベース２５に保存される内容を示している。
【図７】図７は、本発明の文書管理システムの動作として管理処理を示すフローチャートである。
【図８】図８は、図７の管理処理におけるファイリング判定処理を示すフローチャートである。
【図９】図９は、管理処理が実行されたときに、文書データベース２５に保存される内容を示している。
【図１０】図１０は、本発明の文書管理システムの動作として収納処理を示すフローチャートである。
【図１１】図１１は、収納処理が実行されたときに、文書データベース２５に保存される内容を示している。
【図１２】図１２は、本発明の文書管理システムの動作として利用処理を示すフローチャートである。
【図１３】図１３は、利用処理が実行されたときに、文書データベース２５に保存される内容を示している。
【符号の説明】
【００６１】
１−１、１−２、１−３、…    クライアント装置、
２    文書管理装置、
３    印刷装置（プリンタ）、
４    書庫、
５    ＱＲコードリーダ、
６    ネットワーク、
７    センサ、
１０−ｊ（ｊ＝１、２、…）    電子文書、
１０−ｊ’    印刷文書、
１０−ｊ’’    ファイリング文書、
１１    文字列（題名）、
１２    頁数、
１３    回覧情報、
１４    グループ情報、
１５    識別ＱＲコード、
１６    ファイリング済み情報、
１７    利用中情報、
１８    利用回数情報、
２１    ＣＰＵ、
２２    記憶装置、
２３    コンピュータプログラム、
２４    文書管理部、
２５    文書データベース、
２６    認証データベース、
【図１】
2009080627.tif 000003
【図２】
2009080627.tif 000004
【図３】
2009080627.tif 000005
【図４】
2009080627.tif 000006
【図５】
2009080627.tif 000007
【図６】
2009080627.tif 000008
【図７】
2009080627.tif 000009
【図８】
2009080627.tif 000010
【図９】
2009080627.tif 000011
【図１０】
2009080627.tif 000012
【図１１】
2009080627.tif 000013
【図１２】
2009080627.tif 000014
【図１３】
2009080627.tif 000015